(57)【要約】【課題】操作性に優れる遊技球排出機構を備えたパチンコ遊技機を提供する。【解決手段】少なくとも貯留開口２８の底面の一部を形成する可動底部１３と、貯留開口２８の前面を形成する前壁部１２とを備えてなる可動皿部材１０を、前後方向へ水平移動可能に設け、該可動皿部材１０を、貯留開口２８に遊技球が貯留可能となる定常位置と、可動底部１３が前方へ退避して球抜き口１７を生じ、該球抜き口１７から遊技球が排出可能となる排出位置とに位置変換可能として、該可動皿部材１０の前壁部１２を排出操作部位とした。【選択図】　図２
2004049418.tif 000002
【特許請求の範囲】
【請求項１】
前面側の下部位置に、遊技球を貯留する貯留開口を内部に有する下受皿を備えると共に、該貯留開口の底面に、下受皿の下方領域と連通し、下受皿に貯留した遊技球を、下方へ排出する球抜き口を有するパチンコ遊技機において、
少なくとも貯留開口の底面の一部を形成する可動底部と、貯留開口の前面を形成する前壁部とを備えてなる可動皿部材を、前後方向へ水平移動可能に設け、該可動皿部材を、貯留開口に遊技球が貯留可能となる定常位置と、前方移動により可動底部が退避して球抜き口を生じ、該球抜き口から遊技球が排出可能となる排出位置とに位置変換可能としたことを特徴とするパチンコ遊技機。
【請求項２】
可動皿部材の両側と、貯留開口の両内側面の、いずれか一方に前後方向の支持凸条を、他方に該支持凸条が摺動可能に嵌入される支持溝を夫々形成することにより、該可動皿部材を前後方向に平行移動可能として、該可動皿部材を、前方移動することにより、定常位置から排出位置に変換するようにしたことを特徴とする請求項１に記載のパチンコ遊技機。
【請求項３】
可動皿部材を、その側端を軸支して水平方向に回動可能に設け、該可動皿部材を、前方に水平回動させることにより、定常位置から排出位置に変換するようにしたことを特徴とする請求項１に記載のパチンコ遊技機。
【請求項４】
貯留開口の底面の一部を形成する固定底部を設け、該固定底部と、可動皿部材の可動底部とに、それぞれ切欠部を形成し、可動皿部材の排出位置で、可動底部の切欠部と、固定底部の切欠部とが連接して、球抜き口が形成されるようにしたことを特徴とする請求項１乃至請求項３のいずれかに記載のパチンコ遊技機。
【請求項５】
少なくとも可動皿部材を定常位置側に付勢する付勢手段を備え、排出位置に移動された可動皿部材を該付勢手段によって定常位置に自動復帰させるようにしたことを特徴とする請求項１乃至請求項４のいずれかに記載のパチンコ遊技機。
【請求項６】
貯留開口の底面の一部を形成する固定底部を設け、該固定底部の上面に、遊技球を内部に嵌入することにより、可動皿部材を排出位置側に係止保持する保持溝を形成したことを特徴とする請求項１乃至請求項５のいずれかに記載のパチンコ遊技機。
【請求項７】
可動皿部材を定常位置から排出位置へ位置変換する方向を示す指標を、該可動皿部材の表面に設けたことを特徴とする請求項１乃至請求項６のいずれかに記載のパチンコ遊技機。
【発明の詳細な説明】
【０００１】
【発明の属する技術分野】
本発明は、機体の前面下部に、貯留した遊技球を排出する球抜き口を有する下受皿を備えたパチンコ遊技機に関する。
【０００２】
【従来の技術】
一般に、パチンコ遊技機にあっては、遊技機の前面下部に上受皿と下受皿が段設されており、上受皿の遊技球を球送り機構により一球ずつ発射レール始端の発射位置に自動的に供給し、発射ハンドルの回動操作によって発射位置の遊技球を発射鎚で打圧することにより、遊技球が遊技盤面に順次打ち出される。また、遊技盤面の入賞口に遊技球が入賞すると所定数の遊技球が払い出される。この払い出された遊技球は上受皿に送られるが、上受皿が満杯になると自動的に下受皿側に流れるようになっている。そして、該下受皿を最終的に遊技球を受け入れる受皿としている。
【０００３】
下受皿には、遊技球の払出される球出口と連通する貯留開口が形成されており、球出口から払出された遊技球は、該貯留開口内に貯留される。そして、該貯留開口の底面には、遊技球を機外へ排出するための球抜き口が形成されており、該球抜き口には、下受皿の下面前方に突出する球抜きレバーを有する、摺動可能な遮蔽蓋が配設される。前記球抜きレバーは、球抜き口を開放し、遊技球を排出する排出操作部位を構成するものであり、球抜きレバーを左右のどちらか一方にスライドさせることにより、遮蔽蓋が摺動し、球抜き口が開放されるようになっている。このように、貯留開口内の遊技球は、球抜きレバーのスライド操作により、球抜き口を開放することにより、該球抜き口を介して機外へと排出される。
【０００４】
【発明が解決しようとする課題】
ところで、多くのパチンコ遊技機においては、上述の球抜きレバーは小さいものであるため、該球抜きレバーのスライド操作は、煩わしく手間がかかるものとなっている。このため、下受皿内の遊技球を円滑に排出するために、排出操作部位の大型化が望まれている。また、その一方で、球抜きレバーは下受皿の下面前方に配設されるため、遊技中に、下受皿の下方に載置した球貯留箱を移動させる際等に、遊技者の手が誤って該球抜きレバーにぶつかり、不意に球抜き口が開放され、下受皿内の遊技球が機外へ排出されてしまうといった問題も生じており、遊技中に遊技者の邪魔となることのない、排出操作部位が求められている。
【０００５】
本発明は、かかる問題の解決を試みたものであって、操作性に優れた、斬新な遊技球排出機構を備えたパチンコ遊技機を提供することを目的とする。
【０００６】
【課題を解決するための手段】
本発明は、前面側の下部位置に、遊技球を貯留する貯留開口を内部に有する下受皿を備えると共に、該貯留開口の底面に、下受皿の下方領域と連通し、下受皿に貯留した遊技球を、下方へ排出する球抜き口を有するパチンコ遊技機において、少なくとも貯留開口の底面の一部を形成する可動底部と、貯留開口の前面を形成する前壁部とを備えてなる可動皿部材を、前後方向へ水平移動可能に設け、該可動皿部材を、貯留開口に遊技球が貯留可能となる定常位置と、前方移動により可動底部が退避して球抜き口を生じ、該球抜き口から遊技球が排出可能となる排出位置とに位置変換可能としたことを特徴とするパチンコ遊技機である（請求項１）。ここで、可動皿部材は、下受皿の前壁と底板だけでなく、側壁や後壁を構成するものであってもよい。
【０００７】
かかる構成では、可動皿部材の前壁部を前方に操作すると、可動皿部材が排出位置へ位置変換し、該位置変換に伴い、該可動皿部材の可動底部を前方に退避することで、貯留開口の底面に球抜き口が生じ、貯留開口から遊技球を排出可能となる。このように、貯留開口の前壁を、排出操作部位としたことにより、遊技者の邪魔となることなく、排出操作部位を大型化することができ、優れた操作性を有する遊技球排出機構が実現できる。
【０００８】
ここで、上述の可動皿部材の位置変換機構としては、以下のような構成が提案される。
すなわち、可動皿部材の両側と、貯留開口の両内側面の、いずれか一方に前後方向の支持凸条を、他方に該支持凸条が摺動可能に嵌入される支持溝を夫々形成することにより、該可動皿部材を前後方向に平行移動可能として、該可動皿部材を、前方移動することにより、定常位置から排出位置に変換するようにした構成である（請求項２）。かかる構成にあっては、遊技者は可動皿部材の前壁部を把持して、手前に引っ張るだけで、貯留開口の底面に球抜き口を形成でき、迅速かつ容易に下受皿から遊技球を排出することが可能となる。
【０００９】
また、可動皿部材を、その側端を軸支して水平方向に回動可能に設け、該可動皿部材を、前方に水平回動させることにより、定常位置から排出位置に変換するようにした構成（請求項３）も提案される。かかる構成においてもは、遊技者は前壁部を手前に回動操作することにより、下受皿内の遊技球を機外へ排出できる。
【００１０】
そして、球抜き口の形成機構としては、貯留開口の底面の一部を形成する固定底部を設け、該固定底部と、可動皿部材の可動底部とに、それぞれ切欠部を形成し、可動皿部材の排出位置で、可動底部の切欠部と、固定底部の切欠部とが連接して、球抜き口が形成されるようにした構成が提案される（請求項４）。かかる構成にあっては、可動皿部材の所定量の移動に対して、貯留開口の底面中央部に、縦幅の大きな球抜き口を形成することができ、球抜き口を遊技球排出に適した位置形状にすることが可能となる。
【００１１】
さらに、少なくとも可動皿部材を定常位置側に付勢する付勢手段を備え、排出位置に移動された可動皿部材を該付勢手段によって定常位置に自動復帰させるようにすれば（請求項５）、排出位置に変換させた可動皿部材を定常位置にその都度戻す操作が不要となるため、手間が掛からず、また、常時は可動皿部材が定常位位置に保持され、球出口より払出された遊技球を円滑に受け入れることができる。
【００１２】
そして、貯留開口の底面の一部を形成する固定底部を設け、該固定底部の上面に、遊技球を内部に嵌入することにより、可動皿部材を排出位置側に係止保持する保持溝を形成した構成も考えられる（請求項６）。かかる構成では、可動皿部材が排出位置にある際に、保持溝に嵌入した遊技球を、該保持溝と、可動底部の後端との間で挟持することで、該遊技球により、該可動皿部材を排出位置に係止保持しておくことができる。
【００１３】
また、可動皿部材を定常位置から排出位置へ位置変換する方向を示す指標を、該可動皿部材の表面に設ければ（請求項７）、排出操作部位の操作方法を、遊技者に明確に伝えることができ、遊技者は、遊技球を下受皿から容易に排出可能となる。
【００１４】
【発明の実施の形態】
以下に、本発明の第一実施例を、図面を参照して説明する。
パチンコ遊技機１は、図１に示すように、外枠２の前面に開閉可能な前面枠３が配設され、該前面枠３には遊技盤面を覆うガラス扉４と、上受皿５を備えた上受皿パネル８とが夫々開閉可能に軸着されている。また、前面枠３の下縁部には、上受皿５の下方に位置させて下受皿６が配設されており、さらに下受皿６の右側方に発射ハンドル７が配設されている。
【００１５】
ここで、前記上受皿５に貯留される遊技球は、発射ハンドル７の回動操作によって遊技盤面に順次打ち出され、図示しない入賞口に入賞すると所定数（例えば１５個）の遊技球が賞球として払い出される。この払い出された遊技球は上受皿５に送られるが、入賞口に多数の遊技球が入賞可能となる大当りが発生し、払い出された遊技球で上受皿５が満杯になると、パチンコ遊技機１の裏面に配設されている図示しない振り分け通路を遊技球が流下して球出口１１から下受皿６内に放出される。
【００１６】
以下に、本発明の要部である、下受皿６の構成ついて説明する。
下受皿６は、図２に示すように、パチンコ遊技機１に固定される固定皿部材９と、該固定皿部材９に、前後方向に平行移動可能に配設される可動皿部材１０とを備え、該固定皿部材９と、可動皿部材１０により、該下受皿６の中央に、遊技球を貯留する貯留開口２８が形成される。また、該可動皿部材１０は、下受皿６に遊技球を貯留可能となる、後方の定常位置（図２イ参照）と、貯留開口２８底面に球抜き口１７が生じて、下受皿６から遊技球を排出可能となる、前方の排出位置（図２ロ参照）とに変換し得るようになっている。
【００１７】
前記固定皿部材９は、図２、図３に示すように、前面枠３と一体成型されており、貯留開口２８の後面を形成する後壁部２６と、内側面を形成する左右の側壁部２５、２５と、底面の一部を形成する固定底部１４とを備える。前記後壁部２６には、上述の球出口１１が形成されている。そして、側壁部２５、２５の下部には、前後方向に伸びる支持溝１６、１６が形成されており、該支持溝１６に、可動皿部材１０の支持凸条１５が嵌入される。
【００１８】
一方の可動皿部材１０は、図２、図３に示すように、貯留開口２８の前面を形成する前壁部１２と、貯留開口２８の底面を部分的に形成する可動底部１３とを備える。ここで、前記前壁部１２は、貯留開口２８の前面全域を遮蔽すると共に、遊技者が、下受皿６から遊技球を排出する際に操作する排出操作部位を構成するものである。また、可動底部１３は、固定底部１４の上方に位置し、可動皿部材１０の位置変換に伴い、該固定底部１４に対して前後方向に摺動する。そして、上述したように、可動底部１３の両側に設けられている支持凸条１５は、下受皿６側面の支持溝１６に嵌入されており、該支持凸条を該支持溝１６に沿って摺動可能とすることにより、可動皿部材１０が前後に平行移動できるようになっている。
【００１９】
また、上述の球抜き口１７は、図４、図５に示すように、固定底部１４の中央前端に形成される切欠部１８ｂと、可動底部１３の中央後端に形成され、可動皿部材１３の位置変換に伴い、固定底部１４の上方面を前後に移動する切欠部１８ａとの二つの切欠部１８ａ、１８ｂにより形成される。そして、可動皿部材１０の定常位置では、可動底部１３の切欠部１８ａは、図４イ、図５イに示すように、固定底部１４の切欠部１８ｂの上後方に位置しており、両切欠部１８ａ、１８ｂの間は、固定底部１４と、可動底部１３により隔てられ、球抜き口１７は形成されない。そして、図４ロ、図５ハに示すように、可動皿部材１０が定常位置から排出位置へ変換すると、可動底部１３が前方へ摺動し、可動底部１３側の切欠部１８ａが、固定皿部材１４側の切欠部１８ｂと上下に連接するため、両切欠部１８ａ、１８ｂの間で、球抜き口１７が形成されることとなる。
【００２０】
さらに、下受皿６の下面には、図４、図５に示すように、可動皿部材１０を定常位置側に付勢する付勢手段として、コイルばね１９、１９が配設される。該コイルばね１９は、その一端をを固定底部１４に、他端を可動底部１３にねじ止めされており、排出位置に変換された、可動皿部材１０を該コイルばね１９の引っ張り力によって定常位置に自動復帰させ得るようになっている。
【００２１】
かかる構成では、遊技者は、可動皿部材１０の前壁部１２を把持して手前に引くことにより、貯留開口２８の底面に球抜き口１７を形成し、下受皿６に貯留した遊技球を機外へと排出できる。また、可動皿部材１０が排出位置にある状態で、前壁部１２を離せば、可動皿部材１０はコイルばね１９の弾性力により、自動的に定常位置へと復帰し、再び遊技球を下受皿６に貯留可能となる。このため、遊技者は、遊技球の排出操作を迅速かつ容易に行うことが可能となり、また、排出操作部位が、貯留開口２８の前面を形成する前壁そのものであるため、該排出操作部位が、遊技中に遊技者の邪魔となることもない。
【００２２】
また、上述の実施例において、可動皿部材１０を排出位置に留めておく、保持手段を備えた構成も考えられる。かかる構成では、図６に示すように、固定底部１４の切欠部１８ｂの左角に、内部に一個の遊技球を嵌入可能な大きさの保持溝２２が形成されている。該保持溝２２は、図６イに示すように、可動皿部材１０が定常位置にある時には、可動底部１３により上面を覆われているが、図６ロに示すように、可動皿部材１０が排出位置にある時には、保持溝２２は露出され、遊技球ｘを該保持溝２２内に嵌入できるようになっている。そして、図７ロに示すように、該保持溝２２に遊技球ｘを嵌入した状態で、コイルばね１９の弾性力により、可動底部１３の後端と、保持溝２２との間で、該遊技球ｘを保持することで、可動皿部材１０を排出位置に係止することができる。また、上述の状態で可動皿部材１０をさらに前方に移動させれば、図７ハに示すように、遊技球ｘが保持状態から開放され、球出口１７から排出されるため、排出位置に係止保持される可動皿部材１０を定常位置に復帰させることができる。このように、遊技球ｘを用いて、可動皿部材１０を係止保持することで、特定の係止部材を配設することなく、簡易な機構で可動皿部材１０を排出位置に保持することが可能となった。
【００２３】
さらに、図８に示すように、遊技球を排出するための排出操作部位である前壁部１２の操作方向を示す指標として、可動皿部材１０の表面に指示指標２３を設けることも考えられる。遊技者は、遊技球の排出方法を明瞭に理解でき、迷うことなく下受皿６から遊技球を排出できる。
【００２４】
次に、前後方向に回動可能な可動皿部材１０を設けた第二実施例を示す。
図９のように、本実施例の可動皿部材１０は前壁部１２と可動底部１３よりなり、その左端を、回動軸２４によって、固定皿部材９に軸支することで、水平回動可能となっている。そして、第一実施例と同様に、可動底部１３と固定底部１４には切欠部１８ａ、１８ｂが形成されており、可動皿部材１０が排出位置にある時のみ、二つの切欠部１８ａ、１８ｂが上下に連接し、貯留開口２８の底面に球抜き口１７が形成され、遊技球を排出可能となる。また、下受皿６の下面には、排出位置に変換された可動皿部材１０を、定常位置に自動復帰させるコイルばね１９が配設され、可動皿部材１０の右端には、可動皿部材１０が過度に前方回動するのを防止するストッパー部２７が設けられている。その他の構成は第一実施例と同じであるため、重複する説明を省略する。なお、本実施例においても、第一実施例と同様にして、可動皿部材１０を排出位置に保持しておくための保持溝２２を固定底部１４の上面に形成したり、前壁部１２の回動操作方向を示す指示指標２３を可動皿部材１０の表面に設けることが可能である。
【００２５】
【発明の効果】
本発明は、貯留開口の底面の一部を形成する可動底部と、貯留開口の前面を形成する前壁部とを備えてなる可動皿部材を、前後方向へ水平移動可能に設け、該可動皿部材を、貯留開口に遊技球が貯留可能となる定常位置と、可動底部が前方へ退避して球抜き口を生じ、該球抜き口から遊技球が排出可能となる排出位置とに位置変換可能としたから（請求項１）、該可動皿部材の前壁部を排出操作部位とすることができ、排出操作部位が、大型化され、操作しやすいものとできた。また、該排出操作部位は、貯留開口の前面を形成する壁部を兼ねるため、従来のように、遊技者の邪魔となることもなくなる。
【００２６】
ここで、可動皿部材の両側と、貯留開口の両内側面の、いずれか一方に前後方向の支持凸条を、他方に該支持凸条が摺動可能に嵌入される支持溝を夫々形成することにより、該可動皿部材を前後方向に平行移動可能として、該可動皿部材を、前方移動することにより、定常位置から排出位置に変換するようにした（請求項２）り、可動皿部材を、その側端を軸支して水平方向に回動可能に設け、該可動皿部材を、前方に水平回動させることにより、定常位置から排出位置に変換するようようにした構成（請求項３）にあっては、簡素な可動皿部材の位置変換機構により、迅速かつ容易な遊技球排出が可能となる。
【００２７】
また、固定底部と可動底部とにそれぞれ切欠部を設け、両切欠部を連接することにより、球抜き口を形成するようにしたから（請求項４）、かかる構成にあっては、可動皿部材の所定幅の移動により、遊技球の排出に適した位置、形状の球抜き口を形成することが可能となる。
【００２８】
さらに、上記構成の下受皿にあって、少なくとも該可動皿部材を定常位置側に付勢する付勢手段を備え、排出位置に移動された可動皿部材を該付勢手段によって定常位置に自動復帰させるようにすると（請求項５）、排出位置に変換させた可動皿部材を定常位置にその都度戻す操作が不要となるため、手間が掛からず、また常時は可動皿部材が定常位位置に保持され、球出口より払出された遊技球を円滑に受け入れることができる。
【００２９】
固定底部の上面に、遊技球を内部に嵌入することにより、可動皿部材を排出位置に保持する保持溝を形成すれば（請求項６）、特定の係止部材を設けることなく、簡易な機構により、可動皿部材を排出位置に保持しておくことが可能となる。
【００３０】
さらに、可動皿部材表面に、前壁部を移動させる方向を明示するようにしたから（請求項７）、排出操作部位の操作方法が容易に理解でき、迷うことなく、下受皿から遊技球を排出することが可能となった。
【図面の簡単な説明】
【図１】本実施例のパチンコ遊技機１の斜視図である。
【図２】下受皿６の斜視図を示し、（イ）は可動皿部材１０が定常位置にある状態を、（ロ）は可動皿部材１０が排出位置にある状態を示す。
【図３】下受皿６の上面図を示し、（イ）は可動皿部材１０が定常位置にある状態を、（ロ）は可動皿部材１０が排出位置にある状態を示す。
【図４】コイルばね１９を示す、可動皿部材１０が定常位置にある状態（イ）と、排出位置にある状態（ロ）の下受皿６の上面図である。
【図５】下受皿６の縦断側面図を示す。（イ）は図４におけるａ−ａ断面図、（ロ）は図４におけるａ’−ａ’断面図、（ハ）は図４におけるｂ−ｂ断面図、（ニ）は図４におけるｂ’−ｂ’断面図である。
【図６】保持溝２２を有する下受皿６の上面図である。（イ）は可動皿部材１０が定常位置にある状態を、（ロ）は可動皿部材１０が排出位置にある状態を示す。
【図７】保持溝２２の作用を示す斜視図である。（イ）は保持溝２２が可動底部１３で覆われた状態を、（ロ）は遊技球ｘを保持溝２２と可動底部１３で挟持した状態を、（ハ）は遊技球ｘを保持溝２２から排出した状態を示す。
【図８】指示指標２３を備える下受皿６の斜視図である。（イ）は可動皿部材１０が定常位置にある状態を、（ロ）は可動皿部材１０が排出位置にある状態を示す。
【図９】第二実施例における下受皿６の上面図である。（イ）は可動皿部材１０が定常位置にある状態を、（ロ）は可動皿部材１０が排出位置にある状態を示す。
【符号の説明】
６　下受皿
９　固定皿部材
１０　可動皿部材
１１　球出口
１２　前壁部
１３　可動底部
１４　固定底部
１６　支持溝
１７　球抜き口
２１　取付ねじ
２４　回動軸
２８　貯留開口
ｘ　遊技球
【図１】
2004049418.tif 000003
【図２】
2004049418.tif 000004
【図３】
2004049418.tif 000005
【図４】
2004049418.tif 000006
【図５】
2004049418.tif 000007
【図６】
2004049418.tif 000008
【図７】
2004049418.tif 000009
【図８】
2004049418.tif 000010
【図９】
2004049418.tif 000011